(57)【要約】【課題】重機を使用した安全で工期の短いタービン施設の解体工法を提供する。【解決手段】発電機の外ケースが、複数の分割片に溶断されると共に、発電機とタービンが設置されるタービンぺデスタルの脚が溶断される先行火入れ工程と、重機が配置され、タービン建屋の側面が撤去され、発電機とタービンの周囲が、中抜きされるタービン建屋の第１次解体工程と、発電機のローターと、外ケース上部の分割片と、ステーターの分割片と、外ケース下部とを重機で撤去する発電機の撤去工程と、タービンの外カバー、内カバー、回転羽根部及び台座を重機で掴み撤去するタービンの撤去工程と、重機で解体し撤去するタービンぺデスタルの撤去工程と、重機で解体し撤去する復水器の撤去工程と、残りの建屋を重機で解体し撤去するタービン建屋の第２次解体工程と、が備えられる。【選択図】図１
2018111993.tif 000002
【特許請求の範囲】
【請求項１】
発電機の外ケースが、半円筒状の外ケース上部と外ケース下部に溶断され、前記外ケース上部が、所定の幅で複数の分割片に溶断されると共に、タービンぺデスタルの脚が溶断される先行火入れ工程と、
重機で作業エリアに面するタービン建屋の側面が撤去され、発電機とタービンの周囲が中抜きされるタービン建屋の第１次解体工程と、
前記発電機のローターと、前記先行火入れ工程で分割した前記外ケース上部の分割片と、複数の分割片に溶断したステーターと、前記外ケース下部と、を重機で掴み撤去する発電機の撤去工程と、
タービンの外カバー、内カバー、回転羽根部及び台座を重機で掴み撤去するタービンの撤去工程と、
重機による解体と撤去を行なうタービンぺデスタルの撤去工程と、
重機による解体と撤去を行なう復水器の撤去工程と、
前記タービン建屋の第１解体工程で残した部分を重機で解体し撤去するタービン建屋の第２次解体工程と、
が備えられることを特徴とするタービン施設の解体工法。
【請求項２】
前記タービンの回転羽根部は、羽根の一部が切り落とされ、載置面が設けられることを特徴とする請求項１に記載のタービン施設の解体工法。
【請求項３】
前記ステーターは、半円筒状のステーター上部とステーター下部に溶断され、前記ステーター上部が所定の幅で複数の分割片に溶断され、前記ステーター下部が所定の幅で複数の分割片に溶断されることを特徴とする請求項１に記載のタービン施設の解体工法。
【発明の詳細な説明】
【技術分野】
【０００１】
本発明は、火力発電所のタービン施設の解体工法に係り、より詳しくは、解体部品を吊って搬出する作業がなく、重機を使用した安全で工期の短いタービン施設の解体工法に関する。
【背景技術】
【０００２】
火力発電所のタービン施設は、タービン建屋と、建屋内部に設置されたタービン装置からなり、タービン装置は、高圧タービンと中低圧タービンと低圧タービンと発電機と復水器からなる。その総重量は２０００〜３０００トンにもなる。タービンは、単体でも１８０トンと重く、複数の部材に切り出しての搬出となる。搬出は、これまで自走式のクレーンなどで吊ることによって行なっていた。しかしながら、切り出したタービン部材を吊るには、ワイヤ掛け等が人手作業になり、また解体した部材に玉掛けのフックが整っていないので落下などの危険も多い。そのため、解体に要する工期が約４〜５カ月と長い。
【０００３】
近年、高層アパートの解体等を迅速に行なうため、６０ｍ級の作業高さが可能な解体用の重機が製品化されている。この重機は、足廻りの安定した大型クローラと、油圧ショベル並みの高出力パワープラントと、ロングブームとを備える。ブームの先端には、例えば圧砕機（ニブラーと称す）を装着でき、コンクリートを圧砕したり、柱を引き倒したり、切出し片を掴んで運ぶことができる。６０ｍの作業高さは、タービン建屋の高さをカバーするので、このような重機を使用した効率的なタービン施設の解体が望まれる。なお、本出願人は、ボイラー施設の解体工法を提案している。（特許文献１参照）
【先行技術文献】
【特許文献】
【０００４】
【特許文献１】特開２０１０−１１２００３号公報
【発明の概要】
【発明が解決しようとする課題】
【０００５】
本発明の目的は、重機を使用した安全で工期の短いタービン施設の解体工法を提供することにある。
【課題を解決するための手段】
【０００６】
本発明によるタービン施設の解体工法は、発電機の外ケースが、半円筒状の外ケース上部と外ケース下部に溶断され、前記外ケース上部が、所定の幅で複数の分割片に溶断されると共に、タービンぺデスタルの脚が溶断される先行火入れ工程と、重機で作業エリアに面するタービン建屋の側面が撤去され、発電機とタービンの周囲が中抜きされるタービン建屋の第１次解体工程と、前記発電機のローターと、前記先行火入れ工程で分割した前記外ケース上部の分割片と、複数の分割片に溶断したステーターと、前記外ケース下部と、を重機で掴み撤去する発電機の撤去工程と、タービンの外カバー、内カバー、回転羽根部及び台座を重機で掴み撤去するタービンの撤去工程と、重機による解体と撤去を行なうタービンぺデスタルの撤去工程と、重機による解体と撤去を行なう復水器の撤去工程と、
前記タービン建屋の第１解体工程で残した部分を重機で解体し撤去するタービン建屋の第２次解体工程と、が備えられることを特徴とする。
【０００７】
前記タービンの回転羽根部は、羽根の一部が切り落とされ、載置面が設けられることを特徴とする。
【０００８】
前記発電機のステーターは、ガス溶断によって半円筒状のステーター上部とステーター下部とに２分割され、さらに前記ステーター上部が所定の幅で複数の分割片に分割され、重機で掴み、撤去されると共に、次に前記ステーター下部がさらに所定の幅で複数の分割片に分割され、重機で掴み、撤去されることを特徴とする。
【発明の効果】
【０００９】
本発明によるタービン施設の解体工法によれば、
（１）先行火入れ工程を設け、タービン建屋の解体に先立って、発電機とタービンが設置されるタービンぺデスタルの脚をガス溶断したので、タービン建屋の中抜き解体でタービンぺデスタルの足元がガラで埋まっても、脚の溶断に苦労することがない。タービンぺデスタルの撤去工程を円滑に進めることができる。
（２）先行火入れ工程を設け、発電機の外ケースをガス溶断によって半円筒状の外ケース上部と外ケース下部に２分割し、さらに外ケース上部を所定の幅で複数に分割したので、タービン建屋の第１解体工程の後、重機のアームが発電機に届くようになると、直ちに外ケース上部の分割片を重機で掴み撤去できる。すなわち分割片をタービン建屋の外の作業エリアに容易に運び出せる。
（３）工期は、従来の吊りによる工法に比較して短く、約３カ月でタービン施設の解体ができる。
【００１０】
タービンの回転羽根部は、羽根の一部が切り落とされて、載置面としたので、トレーラーに安定して載置できる。
【００１１】
発電機のステーターも発電機の外ケースと同様に、ガス溶断によって半円筒状のステーター上部とステーター下部とに２分割したので、また、ステーター上部をさらに所定の幅の複数の分割片に分割したので、重機で掴んで容易に撤去できる。ステーター下部も複数の分割片に分割し、重機で掴んで容易に撤去できる。すなわち解体作業を円滑に進めることができる。
【図面の簡単な説明】
【００１２】
【図１】本発明によるタービン施設の全体斜視図である。
【図２】重機の種類とタービン建屋の高さとの関係を示す図である。
【図３】タービン装置の構成を示す図で、（Ａ）は全体斜視図、（Ｂ）はタービンぺデスタルの斜視図である。
【図４】発電機の外ケースをガス溶断する説明図である。
【図５】タービンぺデスタルの脚を溶断する説明図である。
【図６】タービン建屋の北面を撤去する説明図である。
【図７】タービン建屋の西面を撤去する説明図である。
【図８】図７で、西面の上部を撤去する詳細な説明図である。
【図９】図７で、西面の支柱を撤去する詳細な説明図である。
【図１０】タービン建屋の第１次解体が終了し、タービン装置の解体が開始できる状態を示す斜視図である。
【図１１】発電機の内部構成を示す図である。
【図１２】発電機のローターを引く抜く説明図である。
【図１３】発電機の外ケースを撤去する説明図である。
【図１４】発電機のステーターを撤去する説明図である。
【図１５】タービンの外カバーの構成を示す説明図である。
【図１６】タービンの外カバーを撤去する説明図である。
【図１７】タービンの内カバーを撤去する説明図である。
【図１８】タービンの回転羽根部を撤去する説明図である。
【図１９】タービンの台座を撤去する説明図である。
【図２０】発電機の外ケース下部を撤去する説明図である。
【図２１】タービンぺデスタルを解体し撤去する説明図である。
【図２２】復水器を撤去する説明図である。
【図２３】タービン建屋の南面を撤去した図である。
【図２４】タービン建屋の北面を撤去した図である。
【図２５】タービン施設の解体工法を示すフローチャートである。
【発明を実施するための形態】
【００１３】
以下、図面を参照して、本発明によるタービン施設の解体工法を説明する。
【実施例１】
【００１４】
図１は、本発明によるタービン施設１００の全体斜視図である。タービン施設１００は、タービン建屋５０とタービン装置６０かなる。タービン装置６０は、タービン建屋５０の３階に設置されている。この実施例ではタービン建屋５０の北側と西側が解体の作業エリアとして使用できる。そのため、タービン建屋５０の東面には、足場１８が組まれ防音シートが張られる。タービン建屋５０の南面には別の建屋が建てられており南面は解体の対象ではない。タービン建屋５０の北面、西面、東面の壁パネルは、取り外されているとする。支柱２１はＨ鋼からなるもので、東面と西面に各９本が設けられているとする。
【００１５】
重機は、４台を配置した。高さ４２ｍに届くクローラ型重機１、高さ３２ｍに届くクローラ型重機２、２台の高さ１６ｍに届くクローラ型重機３である。この他に散水車４を用意した。散水車４はそれ程高さがないが、高所での散水が必要な場合は、クローラ型重機１やクローラ型重機２の先端からも散水できる。クローラ型重機１とクローラ型重機２は、解体の主たる重機で、クローラ型重機３は引き出しや小割を行なう合番重機である。これら重機の他に、図示しないが、作業エリアには積み込み用重機や小割重機も配置される。
【００１６】
図２は、重機の種類とタービン建屋の高さとの関係を示す図である。タービン建屋５０の高さは約３１ｍである。クローラ型重機１とクローラ型重機２は、タービン建屋５０の屋根より高く、これを解体できる。タービン装置６０は、３階にあって高さは約１０ｍである。クローラ型重機１とクローラ型重機２には、先端に圧砕機（ニブラー）６がそれぞれ装着され、クローラ型重機３には、鉄骨カッター７と、ブレーカー８が装着される。
【００１７】
図３は、タービン装置６０の構成を示す図で、（Ａ）は全体斜視図、（Ｂ）はタービンぺデスタル１４の斜視図である。タービン装置６０は、タービンぺデスタル１４の上に搭載されており、発電機９と、低圧タービン１０と、中低圧タービン１１と、高圧タービン１２からなる。復水器１３はタービンぺデスタル１４の中央下部（１階部分）に設けられる。図３（Ｂ）に示すように、タービンぺデスタル１４は、鉄筋入り強化コンクリートの柱からなる架体である。
【００１８】
図４は、発電機９の外ケース９ａをガス溶断する説明図である。この工程は建屋の解体に先立って行なう。先行火入れ工程と呼ぶ。発電機９の外ケース９ａが、ガス溶断によって半円筒状の外ケース上部９ａａと外ケース下部９ａｂに２分割される。さらに外ケース上部９ａａは、幅方向に所定の幅で複数の分割片２５に溶断される。本実施例では、図４に示すように、丸で囲んだａ、ｂ、ｃ、ｄの４つに分割している。白い点線が溶断ラインを示す。励磁器１５、スリップリング１６に取り外せるよう溶断する。溶断は人手作業で行うので、タービンぺデスタル１４の上に足場１８が組まれる。溶断は酸素ガスを使用する。詳細には、溶断棒と被溶断物の間に電圧をかけてアークを発生させながら加熱し、ノズルより酸素ガスを送り込んで溶断する。
【００１９】
図５は、タービンぺデスタルの脚を溶断する説明図である。発電機とタービンが設置されるタービンぺデスタルの脚が溶断される。タービンぺデスタルの脚の溶断は、先行火入れ工程で行なう人手作業の１つである。脚１４の表面のコンクリートを剥がし、鉄筋１４ｂをガス溶断する。一部は残し切りする。
【００２０】
図６は、タービン建屋５０の北面を撤去する説明図である。作業エリアに面するタービン建屋の北面の全部と、西面が一部を残して撤去される。そして発電機９とタービンに至る周囲が、重機で中抜きされる。タービン建屋の第１次解体工程と呼ぶ。屋根のパネルは、クローラ型重機１で掴み、地上の作業エリアに運ぶ。北面の梁もクローラ型重機１で掴み、引きちぎって、地上の作業エリアに運ぶ。図６に示すように、屋根の周囲に設けられた手摺りであるパラペット１７は、一部がクローラ型重機１で砕かれる。その時、ガラが北側方向に落下しないように足場１８に、忍び返し２０が設けられる。これによりガラは建屋内に落下する。図６に示すように、タービン装置６０に至る２階と３階の床の部分も解体され撤去される。これは、中抜きと称する。
【００２１】
図７は、タービン建屋５０の西面を撤去する説明図である。西面の北側の支柱２１を、西１番支柱２１ａ、西２番支柱２１ｂ、西３番支柱２１ｃとする。丸で囲んだＡ、Ｂ、Ｂの箇所を溶断（縁切り）するため、４０ｍの高さに届く高所作業車５を使用する。
【００２２】
図８は、図７で、西面の上部を撤去する詳細な説明図である。、丸で囲んだＢの箇所（２カ所）が、斜めに残し切りされ、Ａの箇所も切断されているので、Ｇで示す箇所をクローラ型重機２で掴み、揺らして西側方向に折るように引き剥がし、作業エリアに運ぶ。
【００２３】
図９は、図７で、西面の支柱を撤去する詳細な説明図である。支柱２１は、図８のＢで示すように、支柱の下部が斜めに残し切り溶断されているとする。この状態で、クローラ型重機２で支柱２１の上部を掴み、揺らすようにして支柱２１を倒す。
【００２４】
図１０は、タービン建屋５０の第１次解体が終了し、タービン装置６０の解体が開始できる状態を示す斜視図である。西面の支柱２１は、５本が撤去され、４本を残し安全性を確保した。また、東面北側の２本の支柱２１も撤去した。タービン装置６０の西側の２階と３階の床を含む部分も中抜きして、撤去される。
【００２５】
図１１は、発電機９の内部構成を示す図である。発電機９の内部には、円筒状のステーター２３が設けられ、ローター２２が貫通している。一端には、励磁器１５が設けられる。外ケースの両端は、スリップリング１６で蓋をされている。
【００２６】
図１２は、発電機９のローター２２を引く抜く説明図である。ここからが発電機の撤去工程となる。一側の励磁器１５とスリップリング１６の上半分を撤去し、ローター２２をクローラ型重機２で掴み引き出す。ローター２２は、重量が、約４０トンと重いので、作業エリアに引き出した後、２つにガス溶断して、トレーラー２４に積み込んで運ぶ。
【００２７】
図１３は、発電機９の外ケース９ａを撤去する説明図である。外ケース９ａは、図４に示す先行火入れ工程で、ガス溶断にて上下に２分割され、さらに外ケース上部９ａａは、ガス溶断で幅方向に４分割され、４つの分割片２５とされている。クローラ型重機２で分割片２５を掴み、作業エリアに運び撤去する。本実施例の分割片２５の重量は、約１２〜１６トンである。分割片２５をさらに半分に溶断してもよい。１２〜１６トンであれば、トレーラー２４に積み込んで運ぶことができる。
【００２８】
図１４は、発電機のステーターを撤去する説明図である。発電機９の外ケース９ａを分割し、外ケース上部９ａａを撤去すると、ステーター２３が露出する。そこで、ガス溶断を使用して、ステーター２３を半円筒状となるように上下に２分割し、さらに所定の幅で４つにガス溶断する。まず、ステーター上部の４つの分割片２６を撤去し、次にステーター下部を４つに分割して分割片３０とし撤去する。ステーター２３の分割片２６、３０の重量は、約２３トンである。、これをトレーラー２４に積み込んで運び出す。ステーター２３を撤去すると、発電機９の外ケース下部９ａｂが露出する。本実施例では、外ケース下部９ａｂの撤去を行なわず、次にタービンの解体を行なった。これに限らず、ステーター２３の撤去後に、続けて発電機９の外ケース下部９ａｂを撤去してもよい。
【００２９】
図１５は、タービンの外カバーの構成を示す説明図である。タービンは、図３に示すように、低圧タービン１０と、中低圧タービン１１と、高圧タービン１２からなる。外カバーは、低速タービン１０の外カバー１０ａ、中低圧タービン１１の外カバー１１ａ、高速タービン１２の外カバー１２ａからなる。外カバー１１ａは、外カバー部品１１ａｉと１１ａｉｉに分けることができる。内カバーは、低速タービン１０の内カバー１０ｂ、中低圧タービン１１の内カバー１１ｂ、高速タービン１２の内カバー１２ｂからなる。台座は、低速タービン１０の台座１０ｃ、中低圧タービン１１の台座１１ｃ、高速タービン１２の台座１２ｃからなる。台座１０ｃは、台座部品１０ｃｉと１０ｃｉｉに分けることができる。
【００３０】
図１６は、タービンの外カバーを撤去する説明図である。ここからが、タービンの撤去工程になる。外カバーを固定しているボルト等は、事前にガス溶断しておく。低速タービン１０の外カバー１０ａ、中低圧タービン１１の外カバー１１ａ、高速タービン１２の外カバー１２ａをクローラ型重機２で掴み、作業エリアに撤去する。解体部品の処理場へは、トレーラー２４に積み込んで運ぶ。
【００３１】
図１７は、タービンの内カバーを撤去する説明図である。低速タービン１０の内カバー１０ｂ、中低圧タービン１１の内カバー１１ｂ、高速タービン１２の内カバー１２ｂをクローラ型重機２で掴み、作業エリアに撤去する。高速タービン１２の内カバー１２ｂの撤去は図を省略した。
【００３２】
図１８は、タービンの回転羽根部を撤去する説明図である。低速タービン１０の回転羽根部２７と、中低速タービン１１の回転羽根部２８をクローラ型重機２で掴み、作業エリアに撤去する。回転羽根部２７、２８は、羽根の一部が切り落とされ、載置面３１が設けられる。これにより、安定してトレーラー２４に載置できる。回転羽根部２７の重量は約２１トン、回転羽根部２８の重量は、約２３トンである。羽根の切断は、ガス溶断で行なう。図１８では、点線で切断箇所を示し、切断片２７ａ、２８ａも図示している。高速タービン１２の回転羽根部は図を省略した。
【００３３】
図１９は、タービンの台座を撤去する説明図である。低速タービン１０の台座１０ｃ、中低圧タービン１１の台座１１ｃ、高速タービン１２の台座１２ｃをクローラ型重機２で掴み、作業エリアに撤去する。台座１０ｃは、台座部品１０ｃｉと１０ｃｉｉに分けて撤収する。台座１２ｃの重量は約２８トンと重い。台座部品１０ｃｉの重量は約１０トン、台座部品１０ｃｉｉの重量は約４トン、台座１１ｃの重量は約２６トンである。
【００３４】
図２０は、発電機の外ケース下部を撤去する説明図である。低圧タービン１０と、中低圧タービン１１と、高圧タービン１２を撤去すると、タービンペデスタル１４には、発電機９の外ケース下部９ａｂが残る。外ケース下部９ａｂを溶断することなく、これをクローラ型重機２で掴み、作業エリアに引き出すことができる。作業エリアで３つに分割し、分割片２９とすることができる。分割片２９の重量は、約１９トンである。
【００３５】
図２１は、タービンぺデスタルを解体し撤去する説明図である。圧砕機（ニブラー）６が装着されたクローラ型重機１とクローラ型重機２、鉄骨カッター７が装着されたクローラ型重機３、それにブレーカー８が装着された別のクローラ型重機３を投入して、強固なタービンぺデスタルを解体する。図５に示すように先行火入れ工程で、タービンぺデスタル１４の脚をあらかじめ溶断しているので、解体と撤去が容易である。
【００３６】
図２２は、復水器を撤去する説明図である。復水器１３は、２つのユニットからなるので、カバー等を剥がして、クローラ型重機２で作業エリアに撤去する。
【００３７】
図２３は、タービン建屋５０の西面をすべて撤去した図である。図２４は、タービン建屋５０の北面をすべて撤去した図である。いずれもタービン建屋の第２次解体工程に相当し、南面と東面の残った支柱を撤去し、２階と３階の床の残りを撤去する。
【００３８】
図２５は、タービン施設の解体工法を示すフローチャートである。図１〜図２４で説明した内容をまとめたものである。本実施例のタービン施設の解体工法は、先行火入れ工程ｓ１、タービン建屋の第１次解体工程ｓ２、発電機の撤去工程ｓ３、タービンの撤去工程ｓ４、タービンペデスタルの解体撤去工程ｓ５、復水器の撤去工程ｓ６、タービン建屋の第１次解体工程ｓ７からなる。図２５のフローチャートでは、発電機の外ケース下部の撤去を、実施例に従ってタービンの撤去後に行なったが、発電機のステーター撤去後に行なってもよい。
【産業上の利用可能性】
【００３９】
本発明は、重機を使用した安全で工期の短いタービン施設の解体工法として好適である。
【符号の説明】
【００４０】
１    クローラ型重機
２    クローラ型重機
３    クローラ型重機
４    散水車
５    高所作業車
６    ニブラー
７    鉄骨カッター
８    ブレーカー
９    発電機
９ａ    外ケース
９ａａ    外ケース上部
９ａｂ    外ケース下部
１０    低圧タービン
１０ａ    外カバー
１０ｂ    内カバー
１０ｃ    台座
１０ｃｉ、１０ｃｉｉ    台座部品
１１    中低圧タービン
１１ａ    外カバー
１１ａｉ、１１ａｉｉ    外カバー部品
１１ｂ    内カバー
１１ｃ    台座
１２    高圧タービン
１２ａ    外カバー
１２ｂ    内カバー
１２ｃ    台座
１３    復水器
１４    タービンペデスタル
１４ａ    脚
１４ｂ    鉄筋
１５    励磁器
１６    スリップリング
１７    パラペット
１８    足場
１９    防音シート
２０    忍び返し
２１    支柱
２１ａ    西１番支柱
２１ｂ    西２番支柱
２１ｃ    西３番支柱
２２    ローター
２３    ステーター
２４    トレーラー
２５    外ケース上部の分割片
２６    ステーター上部の分割片
２７    回転羽根部（低速タービン）
２７ａ    切断片
２８    回転羽根部（中低圧タービン）
２８ａ    切断片
２９    外ケース下部の分割片
３０    ステーター下部の分割片
３１    載置面
５０    タービン建屋
６０    タービン装置
１００    タービン施設
ｓ１    先行火入れ工程
ｓ２    タービン建屋の第１次解体工程
ｓ３    発電機の撤去工程
ｓ４    タービンの撤去工程
ｓ５    タービンペデスタルの解体撤去工程
ｓ６    復水器の撤去工程
ｓ７    タービン建屋の第２次解体工程
【図１】
2018111993.tif 000003
【図２】
2018111993.tif 000004
【図３】
2018111993.tif 000005
【図４】
2018111993.tif 000006
【図５】
2018111993.tif 000007
【図６】
2018111993.tif 000008
【図７】
2018111993.tif 000009
【図８】
2018111993.tif 000010
【図９】
2018111993.tif 000011
【図１０】
2018111993.tif 000012
【図１１】
2018111993.tif 000013
【図１２】
2018111993.tif 000014
【図１３】
2018111993.tif 000015
【図１４】
2018111993.tif 000016
【図１５】
2018111993.tif 000017
【図１６】
2018111993.tif 000018
【図１７】
2018111993.tif 000019
【図１８】
2018111993.tif 000020
【図１９】
2018111993.tif 000021
【図２０】
2018111993.tif 000022
【図２１】
2018111993.tif 000023
【図２２】
2018111993.tif 000024
【図２３】
2018111993.tif 000025
【図２４】
2018111993.tif 000026
【図２５】
2018111993.tif 000027
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
発電機の外ケースが、半円筒状の外ケース上部と外ケース下部に溶断され、前記外ケース上部が、所定の幅で複数の分割片に溶断されると共に、タービンぺデスタルの脚が溶断される先行火入れ工程（ｓ１）と、
重機で作業エリアに面するタービン建屋の側面が撤去され、発電機とタービンの周囲が中抜きされるタービン建屋の第１次解体工程（ｓ２）と、
ローターを重機で引き抜いて作業エリアに引き出し、複数に溶断してトレーラーに積み込むと共に、先行火入れ工程（ｓ１）で分割した外ケース上部を重機で掴み撤去する工程（ｓ３ａ）と、ステーターを上下２分割となるように溶断し、続いてステーター上部を幅方向に複数に溶断して重機で掴み撤去すると共に、ステーター下部を幅方向に複数に溶断し重機で掴み撤去する工程（ｓ３ｂ）と、外ケース下部を重機で掴み、作業エリアに引き出し複数に溶断して撤去する工程（ｓ３ｃ）と、からなる発電機の撤去工程（ｓ３）と、
タービンの外カバー、内カバー、回転羽根部及び台座を重機で掴み撤去するタービンの撤去工程（ｓ４）と、
重機による解体と撤去を行なうタービンぺデスタルの撤去工程（ｓ５）と、
重機で作業エリアに引き出して解体する復水器の撤去工程（ｓ６）と、
前記タービン建屋の第１解体工程で残した部分を重機で解体し撤去するタービン建屋の第２次解体工程（ｓ７）と、
が備えられることを特徴とするタービン施設の解体工法。
【請求項２】
前記タービンの回転羽根部は、羽根の一部が切り落とされ、載置面が設けられることを特徴とする請求項１に記載のタービン施設の解体工法。
【請求項３】
前記ステーターは、半円筒状のステーター上部とステーター下部に溶断され、前記ステーター上部が幅で複数の分割片に溶断され、前記ステーター下部が所定の幅で複数の分割片に溶断されることを特徴とする請求項１に記載のタービン施設の解体工法。
【手続補正２】
【補正対象書類名】明細書
【補正対象項目名】０００６
【補正方法】変更
【補正の内容】
【０００６】
本発明によるタービン施設の解体工法は、発電機の外ケースが、半円筒状の外ケース上部と外ケース下部に溶断され、前記外ケース上部が、所定の幅で複数の分割片に溶断されると共に、タービンぺデスタルの脚が溶断される先行火入れ工程（ｓ１）と、重機で作業エリアに面するタービン建屋の側面が撤去され、発電機とタービンの周囲が中抜きされるタービン建屋の第１次解体工程（ｓ２）と、ローターを重機で引き抜いて作業エリアに引き出し、複数に溶断してトレーラーに積み込むと共に、先行火入れ工程（ｓ１）で分割した外ケース上部を重機で掴み撤去する工程（ｓ３ａ）と、ステーターを上下２分割となるように溶断し、続いてステーター上部を幅方向に複数に溶断して重機で掴み撤去すると共に、ステーター下部を幅方向に複数に溶断し重機で掴み撤去する工程（ｓ３ｂ）と、外ケース下部を重機で掴み、作業エリアに引き出し複数に溶断して撤去する工程（ｓ３ｃ）と、からなる発電機の撤去工程（ｓ３）と、タービンの外カバー、内カバー、回転羽根部及び台座を重機で掴み撤去するタービンの撤去工程（ｓ４）と、重機による解体と撤去を行なうタービンぺデスタルの撤去工程（ｓ５）と、重機で作業エリアに引き出して解体する復水器の撤去工程（ｓ６）と、前記タービン建屋の第１解体工程で残した部分を重機で解体し撤去するタービン建屋の第２次解体工程（ｓ７）と、が備えられることを特徴とする。